(57)【要約】  【課題】  撮像者は自らの撮像行為を制止するかのようなアドバイス情報は、それがどれだけ好意的なものであっても心理的に受け入れがたいこと。  【解決手段】  撮像者が典型的な素人写真を撮ってしまうと、撮像装置１が撮像支援システムを起動させるので、撮像者の撮像行為を制止したことにならず、撮像者の撮像行為をまず許容していると撮像者に感じさせることが出来る。撮像者の撮像行為をまず許容していると撮像者に感じさせた上でのアドバイス情報は、撮像者にとって受け入れやすい。さらに、不最適構図パターン画像と構図が一致する第１の画像データと、最適構図パターン画像と構図が一致する第２の画像データとを並べて表示部に表示すると、見た目に明らかであるので、撮像者はその違いを実感することが出来る。違いが実感できれば撮像者の納得性も高い。  【選択図】    図１
2006100936.tif 000002
【特許請求の範囲】
【請求項１】
撮像手段によって撮像された画像データを撮像者の撮像操作に応じて画像データ記憶手段に記憶するとともに、該画像データの構図を構図判断手段によって判断し、その判断結果に基づいて該撮像者にアドバイスを与える撮像装置であって、
前記画像データと比較するための最適構図パターン画像とともに、該最適構図パターン画像に対応する不最適構図パターン画像、および該不最適構図パターン画像が示す不最適構図から該最適構図パターン画像が示す最適構図へと誘導する誘導アドバイス情報を該最適構図パターン画像に関連づけて記憶する構図パターン画像記憶手段と、
前記撮像者の撮像操作に応じて前記画像データ記憶手段に第１の画像データが記憶されると、前記画像データ記憶手段に記憶された第１の画像データの構図が前記不最適構図パターン画像の構図と前記構図判断手段によって比較され、前記構図判断手段によって両者の構図があらかじめ定める条件において一致すると判断された場合には前記誘導アドバイス情報を前記撮像者に対して出力するとともに、前記撮像手段によって撮像された第２の画像データの構図を前記最適構図パターン画像の構図と前記構図判断手段によって比較され、前記構図判断手段によって両者の構図があらかじめ定める条件において一致すると判断された場合には撮像操作を前記撮像者に促す制御手段と
を備えることを特徴とする撮像装置。
【請求項２】
前記制御手段は、前記第２の画像データが前記画像データ記憶手段に記憶されると、前記画像データ記憶手段に記憶された第２の画像データを前記第１の画像データと並べて表示部に表示することを特徴とする請求項１に記載の撮像装置。
【請求項３】
前記制御手段は、前記構図判断手段によって前記第２の画像データの構図と前記最適構図パターン画像の構図とがあらかじめ定める条件において一致すると判断された場合には、該第２の画像データを自動取得して前記画像データ記憶手段に記憶することを特徴とする請求項１または２に記載の撮像装置。
【請求項４】
前記構図パターン画像記憶手段は、前記誘導アドバイス情報に対応する説明情報をさらに関連づけて記憶し、
前記制御手段は、前記誘導アドバイス情報を前記撮像者に対して出力する際に、または前記画像データを表示部に表示する際に前記説明情報を前記撮像者に対して出力することを特徴とする請求項２または３に記載の撮像装置。
【請求項５】
撮像手段によって撮像された画像データを撮像者の撮像操作に応じて画像データ記憶手段に記憶するとともに、該画像データの構図を構図判断手段によって判断し、その判断結果に基づいて該撮像者にアドバイスを与える撮像装置を用いた撮像支援方法であって、
前記画像データと比較するための最適構図パターン画像とともに、該最適構図パターン画像に対応する不最適構図パターン画像、および該不最適構図パターン画像が示す不最適構図から該最適構図パターン画像が示す最適構図へと誘導する誘導アドバイス情報を該最適構図パターン画像に関連づけて構図パターン画像記憶手段に記憶しておいて、
前記構図判断手段は、前記撮像者の撮像操作に応じて前記画像データ記憶手段に第１の画像データが記憶されると、前記画像データ記憶手段に記憶された第１の画像データの構図を前記不最適構図パターン画像の構図と比較し、
前記構図判断手段は、前記第１の画像データの構図と前記不最適構図パターン画像の構図とがあらかじめ定める条件において一致するか否かを判断し、
前記制御手段は、前記構図判断手段によって両者の構図が一致すると判断された場合には前記誘導アドバイス情報を前記撮像者に対して出力し、
前記構図判断手段は、前記撮像手段によって撮像された第２の画像データの構図を前記最適構図パターン画像の構図と比較し、
前記構図判断手段は、前記第２の画像データの構図と前記最適構図パターン画像の構図とがあらかじめ定める条件において一致するか否かを判断し、
前記制御手段は、前記構図判断手段によって両者の構図が一致すると判断された場合には撮像操作を前記撮像者に促すことを特徴とする撮像支援方法。
【請求項６】
前記制御手段は、前記第２の画像データが前記画像データ記憶手段に記憶されると、前記画像データ記憶手段に記憶された第２の画像データを前記第１の画像データと並べて表示部に表示することを特徴とする請求項５に記載の撮像支援方法。
【請求項７】
前記制御手段は、前記構図判断手段によって前記第２の画像データの構図と前記最適構図パターン画像の構図とがあらかじめ定める条件において一致すると判断された場合には、該第２の画像データを自動取得して前記画像データ記憶手段に記憶することを特徴とする請求項５または６に記載の撮像支援方法。
【請求項８】
前記誘導アドバイス情報に対応する説明情報をさらに関連づけて前記構図パターン画像記憶手段に記憶しておいて、
前記制御手段は、前記誘導アドバイス情報を前記撮像者に対して出力する際に、または前記画像データを表示部に表示する際に前記説明情報を前記撮像者に対して出力することを特徴とする請求項６または７に記載の撮像支援方法。
【発明の詳細な説明】
【技術分野】
【０００１】
本発明は、撮像、特に撮像者の操作によって撮像される撮像装置及び撮像者の撮像を支援する方法に関する。
【背景技術】
【０００２】
画像データの構図を判断する先行特許文献には、特許第３０３４２４４号明細書が挙げられる。この先行特許文献には、あらかじめデータベースに記憶する構図情報に基づいて画像データの構図を判断したり、画像データから被写体を抽出したりする技術が開示されている。
【０００３】
撮像者が撮像装置を用いて撮像する際に、画像データの構図に関するアドバイスを与える先行特許文献には、特許第３４１２２３８号明細書、特開２０００−２４４８００号公報および特開２００３−３３８９５５号公報などが挙げられる。これらの先行特許文献には、画像データの構図を判断し、撮像者が撮像する前にアドバイスを与える技術が開示されている。ただし、これは構図が不適切な画像データは撮像者にとって失敗であるとして、失敗させないように撮像前にアドバイスを与えてしまうものである。
【０００４】
【特許文献１】特許第３０３４２４４号明細書
【特許文献２】特許第３４１２２３８号明細書
【特許文献３】特開２０００−２４４８００号公報
【特許文献４】特開２００３−３３８９５５号公報
【発明の開示】
【発明が解決しようとする課題】
【０００５】
行楽地などへはよくカメラ（撮像装置）を持って出掛け、景色や建造物を背景に人物の写真（画像データ）を撮影する（撮る、撮像する）。このとき写真のどこにどのくらいの大きさで人物を配置するかだけでなく、背景の切り出し方も写真の見栄えに大きく影響を及ぼす。
【０００６】
例えば、写真の構図として手前側から向こう側へ斜めに横切るラインは、写真に奥行きを感じさせる効果（図１に示す第２の画像データを参照）がある。ところが、このラインを人物で隠してしまうと、奥行きが感じられない平面的な印象となってしまう。同様に大きな建造物を背景に人物の写真を撮る場合には、その建造物から被写体側の人物とカメラ（またはカメラで被写体の人物を撮像する撮像者）がともに離れることによって、まんべんなく大きな建造物を写真に収めることが出来る。この際に建造物だけでなく木々など色彩や形状の異なるものを写真の中に取り入れると変化に富んだ、非凡な写真となる。さらに、高さのある建造物を背景に人物の写真を撮る場合には、人物をローアングルから捉えるとよい。また、ローアングル（より具体的には、被写体人物の目線より低い高さ）から撮像すると、人物の目じりが下がりがちに見えるので自然とやわらかな表情で写真を撮ることも出来る。
【０００７】
特許第３４１２２３８号明細書、特開２０００−２４４８００号公報および特開２００３−３３８９５５号公報などの先行特許文献には、写真の構図を判断し、撮像者が写真を撮る前にアドバイスを与える技術が開示されている。ところが、これらの特許文献に開示される技術では、構図が不適切な写真は撮像者にとって失敗であるとして、失敗させないように写真を撮る前にアドバイスを与えてしまうものであった。つまり、例えばカメラから音声出力される指示情報を用いて被写体側の人物や撮像者を移動させることにより、よりよい構図の写真を失敗せずに撮ることが出来るとされている。
【０００８】
ところが、その指示情報が（そうした方がいい構図で写真が撮れますよといった）好意的なアドバイスであっても、「なんで機械ごときに指示されなくてはならないのか」という心理的抵抗感（嫌悪感）を人に感じさせてしまうという問題点があった。
【０００９】
ただし、根本的に人は撮像装置からのアドバイスを拒絶しているのではない。撮像装置からの指示によって何かをやらされていることが気に食わないだけである。つまり、人は自らが納得すれば、そのアドバイスを素直に受け入れることも出来る。よって、これまでの撮像装置にように、ただ単にアドバイスを与えるのではなく、その（アドバイスを与える）相手を納得させる配慮が必要であると言える。換言すれば、好意的なアドバイスが好意的に受け止められるか、好意的なアドバイスであっても嫌悪感によって拒絶されるのかの差は、その相手がそのアドバイスに納得できるか否かによるとも言える。
【課題を解決するための手段】
【００１０】
これまでの撮像装置から出力されるアドバイス情報は、ムダな画像データを撮らせないためのものであり、ムダな画像データを撮像しようとすると、その行為を阻止するかのようにアドバイス情報を撮像者に対して出力していた。構図の悪い／構図が最適でない画像データはムダだとして、撮像者の撮像行為を制止しようとすることがそもそもの間違いである。デジタルカメラやカメラ付き携帯電話など電子的な撮像素子によって画像を撮像する、デジタル方式の撮像装置はいくら撮像しても、それは撮像装置に内蔵する記憶手段（メモリ）に撮像した画像データを記憶するだけのことであり、その記憶を消去処理するだけで何度も撮像が可能である。これは、記憶手段にフィルム（写真感光材料）を用いる撮像装置と大きく異なる利点であり、この利点を活かさない手はない。
【００１１】
つまり、撮像者の納得が得られるためであるのなら、１枚や２枚の画像データはケチケチせずに撮像させてあげればよいという割り切りがこれまでの技術にはなかった。好意的なアドバイスであっても撮像者に拒絶されてしまうのなら、または構図の悪い画像データと構図の良い画像データとを対比することによってその差がはっきりするのなら、むしろ構図の悪い画像データを撮像してしまうまで放っておいた方がよい。
【００１２】
本発明は、撮像手段によって撮像された画像データを撮像者の撮像操作に応じて画像データ記憶手段に記憶するとともに、該画像データの構図を構図判断手段によって判断し、その判断結果に基づいて該撮像者にアドバイスを与えるために、前記画像データと比較するための最適構図パターン画像とともに、該最適構図パターン画像に対応する不最適構図パターン画像、および該不最適構図パターン画像が示す不最適構図から該最適構図パターン画像が示す最適構図へと誘導する誘導アドバイス情報を該最適構図パターン画像に関連づけて構図パターン画像記憶手段に記憶しておいて、前記構図判断手段は、前記撮像者の撮像操作に応じて前記画像データ記憶手段に第１の画像データが記憶されると、前記画像データ記憶手段に記憶された第１の画像データの構図を前記不最適構図パターン画像の構図と比較し、前記構図判断手段は、前記第１の画像データの構図と前記不最適構図パターン画像の構図とがあらかじめ定める条件において一致するか否かを判断し、前記制御手段は、前記構図判断手段によって両者の構図が一致すると判断された場合には前記誘導アドバイス情報を前記撮像者に対して出力し、前記構図判断手段は、前記撮像手段によって撮像された第２の画像データの構図を前記最適構図パターン画像の構図と比較し、前記構図判断手段は、前記第２の画像データの構図と前記最適構図パターン画像の構図とがあらかじめ定める条件において一致するか否かを判断し、前記制御手段は、前記構図判断手段によって両者の構図が一致すると判断された場合には撮像操作を前記撮像者に促すようにした。
【００１３】
本発明における第１の特徴は、「前記構図判断手段は、前記撮像者の撮像操作に応じて前記画像データ記憶手段に第１の画像データが記憶されると、前記画像データ記憶手段に記憶された第１の画像データの構図を前記不最適構図パターン画像の構図と比較」するように、撮像者が典型的な素人写真（初心者が撮像しがちな画像データ）を撮ってしまうと、撮像装置が撮像支援システムを起動することにある。撮像者の撮像行為を制止しようとせず、撮像者の撮像行為をまず許容する点が、撮像者にとって納得が得られやすくなるポイントである。つまり、撮像者の撮像行為をまず許容していると撮像者に感じさせた上でのアドバイス情報は、撮像者にとって受け入れやすいという効果が期待できる。
【００１４】
構図判断手段が典型的な素人写真を構図的に判断するために参照する不最適構図パターン画像は、あらかじめ撮像装置の記憶部（画像データ記憶手段）に記憶（登録）しておくとよい。なお、素人写真にありがちな構図は実に様々であるので、不最適構図パターン画像は複数パターン登録しておくとよく、この場合、不最適構図パターン画像は誘導アドバイス情報とともに最適構図パターン画像に関連づけて登録しておくと、後々の処理（構図判断手段や制御手段の処理）において負担が軽減される。これらの最適構図パターン画像／不最適構図パターン画像と誘導アドバイスの組は撮像装置の記憶部に後から追加されてもよく、例えば撮像装置の外部からネットワークを介してダウンロードしたり、記憶媒体を介して読み込まれたりするとよい。
【００１５】
構図判断手段は、背景技術に示すような技術を用いればよく、記憶部に記憶した画像データや撮像手段によって撮像された画像データと、あらかじめ記憶部に記憶する最適構図パターン画像や不最適構図パターン画像とを比較して、比較した両者の構図があらかじめ定める条件において一致するか否かを判断できるものであればその手段は特に問わない。ここで言うところのあらかじめ定める条件においてとは、画像データの構図と構図パターン画像の構図とがある程度の範囲において一致した場合に、両者の構図が一致したと見なすための条件のことである。なお、構図を判断するために画像データから人物の位置や大きさを抽出してもよく、この場合には近年、実用化レベルに到達した顔検出技術が有効である。
【００１６】
最適構図パターン画像／不最適構図パターン画像は、構図判断手段が撮像手段によって撮像された画像データや記憶部に記憶した画像データと比較するために撮像装置の記憶部にあらかじめ記憶される画像情報（画像そのものであったり、画像を加工した後のデータであったりする）のことであるが、画像データのパターンマッチングをするためのパターン情報であったり、そのパターン情報を、画像データから抽出した特徴量について適合度を判定するための特徴量情報に変換した後の情報であったりする。
【００１７】
制御手段が撮像操作を撮像者に促すには様々な方法があり、視覚的情報を用いるのなら、撮像操作指示情報を表示部に表示したり、点灯／点滅（ランプ）部を点灯／点滅させたり、聴覚的情報を用いるのなら、音声出力部から音声情報として出力したり、骨伝導技術を用いて撮像者の頬部などに設置した振動部を振動させたりするとよい。つまり、撮像者に撮像を促すことが出来ればその手段は特に問わない。
【００１８】
また、前記制御手段は、前記第２の画像データが前記画像データ記憶手段に記憶されると、前記画像データ記憶手段に記憶された第２の画像データを前記第１の画像データと並べて表示部に表示するようにしてもよい。
【００１９】
これまでの撮像装置は、アドバイス情報を出力するにしてもその効果をはっきりとした形で撮像者に示す配慮に欠けていた。ここで言うところの効果とは、撮像装置から出力されるアドバイス情報に従った場合と従わなかった場合との違いのことであり、撮像装置が撮像者にすべき配慮とは、そのアドバイス情報に従えばどのくらい違いのある構図で撮像できるかを撮像者に示さなくてはならかったということである。
【００２０】
本発明における第２の特徴は、不最適構図パターン画像と構図があらかじめ定める条件において一致する第１の画像データと、最適構図パターン画像と構図があらかじめ定める条件において一致する第２の画像データとを並べて表示部に表示することである。第１の画像データと第２の画像データとの構図の違いが見た目に明らかであるので、撮像者はその違いを実感することが出来る。違いが実感できれば撮像者の納得性も高い。
【００２１】
本発明における第１の特徴がここでも活かされており、典型的な素人写真である第１の画像データが撮像されるまでアドバイス情報を出力せずに待てば、その効果を出しやすい素人写真をベースとした相対比較を視覚的に提供することが出来る。
【００２２】
さらに、前記制御手段は、前記構図判断手段によって前記第２の画像データの構図と前記最適構図パターン画像の構図とがあらかじめ定める条件において一致すると判断された場合には、該第２の画像データを自動取得して前記画像データ記憶手段に記憶するようにしてもよい。つまり、撮像手段が捉えた画像データの構図が最適構図パターン画像の構図と一致したら、（わざわざ撮像者に撮像操作させなくとも）撮像装置が自動的に撮像してしまってもよい。
【００２３】
さらに、前記誘導アドバイス情報に対応する説明情報をさらに関連づけて前記構図パターン画像記憶手段に記憶しておいて、前記制御手段は、前記誘導アドバイス情報を前記撮像者に対して出力する際に、または前記画像データを表示部に表示する際に前記説明情報を前記撮像者に対して出力するようにしてもよい。ここで言うところの説明情報とは、アドバイス情報に対する根拠であり、いわゆる「うんちく」である。なぜそうすると良い構図となるのかについてのうんちくがあると、撮像者は撮像装置から出力されるアドバイス情報に納得しやすくなる。
【００２４】
以上説明した解決手段の態様は撮像装置であってもよく、また、撮像装置内の撮像手段や構図判断手段、制御手段などを動作させて実現する方法であってもよい。
【発明の効果】
【００２５】
以上記載の本発明によれば、撮像者が典型的な素人写真を撮ってしまうと撮像支援システムを起動させるので、撮像者の撮像行為を制止したことにならず、撮像者の撮像行為をまず許容していると撮像者に感じさせることが出来る。撮像者の撮像行為をまず許容していると撮像者に感じさせた上でのアドバイス情報は、撮像者にとって受け入れやすいという新たな効果が期待できる。
【００２６】
さらに、不最適構図パターン画像の構図とあらかじめ定める条件において一致する第１の画像データと、最適構図パターン画像の構図とあらかじめ定める条件において一致する第２の画像データとを並べて表示部に表示すると、第１の画像データと第２の画像データとが見た目に明らかであるので、撮像者はその違いを実感することが出来る。違いが実感できれば撮像者の納得性も高いという効果が期待できる。
【００２７】
また、デジタルカメラなどデジタル方式の撮像装置を使用すると気にせず何枚も同じような写真を撮り、その中から良いものを選ぼうとするが、構図を自分で考えない素人の撮影では結局良い構図の撮影ができない。つまり、本発明による納得性の高いアドバイスにより、少なくとも２度の撮影で撮影者に構図を学んでもらえるので、同じような写真を多く撮る必要がなくなりメモリーの消費量を少なくできると共に、撮影後の写真選別のわずらわしさを削減できる効果が期待できる。
【発明を実施するための最良の形態】
【００２８】
以下に、本発明に係る撮像装置の具体的実施の形態を、図面を参照して詳細に説明する。
【００２９】
図１は、本発明の実施形態における撮像装置の概要を説明する説明図である。
【００３０】
同図（ａ）において、撮像装置１は、撮像者が典型的な素人写真を撮ってしまうと撮像支援システムを起動させる。図中には不最適構図パターン画像と構図が一致する第１の画像データが示されている。なお、撮像装置１に親しみ深げな人格を持たせるなら、撮像支援システムを起動する際に、例えば「あ〜ぁ、やってもうたぁ。よくやんねんな、それ」、「あ〜ぁ、やっちゃった。よくありがちなんだよね、その構図」とか「おやおや、もぉーっといい構図で写真が撮れますよ」などと撮像者に語り掛けるかのような演出を施してもよい。この際には、撮像装置１の操作部２に含まれるモード設定スイッチによってモードが切り替わるようにしておくとよい。
【００３１】
同図（ｂ）において、撮像支援システムが起動すると、撮像装置１は第１の画像データを用いて誘導アドバイス情報を表示部１０に表示している。図中には「被写体側の人物を移動させるための誘導アドバイス情報」を表示する場合と「撮像者を移動させるための誘導アドバイス情報」を表示する場合とが示されている。さらに、誘導アドバイス情報に対応する「うんちく（説明情報）」の具体例として「斜めのライン（矢印部）を人物で隠してしまっています。このラインは写真に奥行きを感じさせる視覚的効果がありますので、人物で分断しないようにして下さい」や「また、人物を足元からすべて入れようとすると、平凡な構図になりがちです。上半身だけにしてみてはいかがでしょうか」などと示されている。
【００３２】
同図（ｃ）において、撮像装置１はさらに、第２の画像データと第１の画像データとを並べて表示部１０に表示している。第２の画像データとは、最適構図パターン画像と構図が一致する画像データのことであり、第１の画像データとは、不最適構図パターン画像と構図が一致する画像データのことである。この両者を並べて表示部１０に表示すると、第１の画像データと第２の画像データとが見た目に明らかであることにより、撮像者はその違いを実感することが出来る。違いが実感できれば撮像者の納得性も高いという効果が期待できる。この際に、撮像装置１は「どうでしょう？構図を少し工夫するだけでこれだけ見栄えが違います」などとフォローのコメントを情報出力部９に出力してもよい。
【００３３】
図２は、本発明の実施形態における撮像装置のハードブロック図である。
【００３４】
同図において、本発明の実施形態における撮像装置１のハードウェア資源の主要部位をハードブロック図により説明する。
【００３５】
（操作部）
操作部２とは、撮像者によって操作される部位であり、撮像装置１にとって情報出力部９とともにユーザインタフェースとして機能し、撮像者からの各種命令を撮像装置１に対して入力する役目を担う。具体的にはボタンスイッチやダイヤルスイッチ、リモートコントローラ、音声入力部などで構成されるが、操作者からの各種命令を撮像装置１に入力できるものであればその手段は特に問わない。いわゆるシャッタボタンも操作部２に含まれ、このシャッタボタンが操作されると、操作に応じた信号が操作部２から画像取得部４に出力されて、画像取得部４が撮像部３から画像データを取得し、取得した画像データを画像データ記憶部５に記憶させる処理が実行される。
【００３６】
（撮像部）
撮像部３とは、撮像装置１の撮像対象を撮像する部位であり、具体的にはＣＣＤ（Ｃｈａｒｇｅ−Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの光学センサを用いて構成されるが、撮像対象を撮像した画像データを出力できるものであればその手段は特に問わない。
【００３７】
（画像取得部）
画像取得部４とは、（撮像者が操作する）操作部２の操作に応じて、（撮像部３により撮像された）撮像部３から画像データを取得し、取得した画像データを画像データ記憶部５に記憶させる部位である。また、画像取得部４は、操作部２の操作に応じて上記処理を実行する以外にも、構図判断部６の処理に基づく制御部８からの指示信号（制御部８から出力される指示信号）に応じて、撮像部３から画像データを取得し、取得した画像データを画像データ記憶部５に記憶させてもよい。
【００３８】
（画像データ記憶部）
画像データ記憶部５とは、不揮発性メモリで構成され、画像取得部４から受け付けた画像データを不揮発性メモリに記憶しておき、構図判断部６または制御部８から受け付けた指示信号に応じて不揮発性メモリに記憶する画像データから読み出され、読み出された画像データが指示信号に応じて出力されるための部位である。
【００３９】
（構図判断部）
構図判断部６とは、画像データ記憶部５に記憶した画像データや撮像部３が撮像した画像データを、構図パターン画像記憶部７に記憶する構図パターン画像と比較して、比較した両者の構図があらかじめ定める条件において一致するか否かを判断する部位である。構図判断にはこれまでにある様々な手法を適宜用いればよい。なお、構図を判断するために画像データから人物の位置や大きさを抽出する顔検出手段は、この構図判断部６に含まれる。
【００４０】
（構図パターン画像記憶部）
構図パターン画像記憶部７とは、画像データ記憶部５に記憶した画像データと構図を比較するための最適構図パターン画像とともに、その最適構図パターン画像に対応する不最適構図パターン画像、および不最適構図パターン画像が示す不最適構図から最適構図パターン画像が示す最適構図へと誘導する誘導アドバイス情報を記憶するための部位であり、構図判断部６または制御部８から受け付けた指示信号に応じて情報が読み出され、読み出された情報が指示信号に応じて出力されるための部位である。誘導アドバイス情報に対応する説明情報がある場合には、対応する誘導アドバイス情報に付与されて、この構図パターン情報記憶部７に記憶されるとよい。
【００４１】
（制御部）
制御部８とは、構図判断部６による構図判断の処理結果に基づいて、構図の一致した不最適構図パターン画像に対応する誘導アドバイス情報を構図パターン画像記憶部７から読み込んで情報出力部９に出力させる処理を実行したり、撮像者に撮像操作を促す処理を実行したり、構図の一致した最適構図パターン画像に対応する第２の画像データを表示部１０（図示せず）に表示する処理を実行したりする部位である。
【００４２】
また、制御部８は、画像取得部４に（構図判断部６によって最適構図パターン画像と一致したと判断された）画像データを第２の画像データとして撮像部３から取得させる処理を実行してもよく、制御部８から指示を受け付けた画像取得部４は、取得した第２の画像データを画像データ記憶部５に記憶させる。さらに、制御部８は、誘導アドバイス情報に対応する説明情報を情報出力部９に出力させる処理を実行してもよい。
【００４３】
（情報出力部）
情報出力部９とは、操作者に対して情報を出力するための部位であり、撮像装置１にとって操作部２とともにユーザインタフェースとして機能し、撮像者に各種情報を提供する役目を担う。具体的には表示部１０やランプ、音声出力部などで構成されるが、撮像者に各種情報が提供できるものであればその手段は特に問わない。なお、表示部１０とは、主に撮像部３によって撮像された画像データや画像データ記憶部５に記憶した画像データを表示する部位のことであり、画像データ以外の情報も表示部１０に合わせて表示してもよい。
【００４４】
図３は、本発明の実施形態における撮像装置の動作例を示すフローチャートである。
【００４５】
同図において、撮像装置１は、操作部２において撮像操作を受け付けると（ＳＴ３０１）、画像取得部４が、撮像部３により撮像された第１の画像データを撮像部３から取得して、取得した第１の画像データを画像データ記憶部５に記憶し（ＳＴ３０２）、構図判断部６が、構図パターン画像記憶部７から不最適構図パターン画像を読み込み（ＳＴ３０３）、構図判断部６が、第１の画像データの構図と読み込んだ不最適構図パターン画像の構図とを比較し（ＳＴ３０４）、構図判断部６が、両者の構図があらかじめ定める条件において一致するか否かを判断し（ＳＴ３０５）、一致しなかった場合にはそのまま処理を終了し、一致した場合には、制御部８が、構図の一致した不最適構図パターン画像に対応する誘導アドバイス情報を構図パターン画像記憶部７から読み込み（ＳＴ３０６）、制御部８が、読み込んだ誘導アドバイス情報を情報出力部９に出力させ（ＳＴ３０７）、構図判断部６が、撮像部３が撮像した第２−１の画像データを撮像部３から取得し（ＳＴ３０８）、構図判断部６が、構図パターン画像記憶部７から最適構図パターン画像を読み込み（ＳＴ３０９）、構図判断部６が、第２−１の画像データの構図と読み込んだ最適構図パターン画像の構図とを比較し（ＳＴ３１０）、構図判断部６が、両者の構図があらかじめ定める条件において一致するか否かを判断し（ＳＴ３１１）、一致しなかった場合にはＳＴ３０８に戻り、一致した場合には、制御部８が、撮像者に撮像操作を促す処理を実行し（ＳＴ３１２）、撮像装置１は、操作部２において撮像操作を受け付けると（ＳＴ３１３）、画像取得部４が、撮像部３により撮像された第２−２の画像データを撮像部３から取得して、取得した第２−２の画像データを画像データ記憶部５に記憶し（ＳＴ３１４）、制御部８が、第２−２の画像データを画像データ記憶部５から読み出し、読み出した第２−２の画像データを表示部１０に表示させて（ＳＴ３１５）、処理を終了する。
【００４６】
ＳＴ３１２における「撮像者に撮像操作を促す処理」には様々な方法があるが、撮像者に撮像操作を促すことが出来ればその手段は特に問わない。具体的には情報出力部９に含まれるランプを点滅させたり、情報出力部９に含まれる表示部１０に撮像操作を促すための指示情報を表示したり、情報出力部９に含まれる音声出力部から撮像操作を促すための指示情報を音声出力したりするとよい。
【００４７】
図４は、本発明の実施形態における撮像装置の動作例を示すフローチャートである。
【００４８】
同図は、撮像部３が捉えた画像データ（第２の画像データ）の構図が最適構図パターン画像の構図と一致したら、わざわざ撮像者に撮像操作させなくとも撮像装置１が自動的に撮像してしまう場合の処理である。
【００４９】
同図において、撮像装置１は、操作部２において撮像操作を受け付けると（ＳＴ４０１）、画像取得部４は、撮像部３により撮像された第１の画像データを撮像部３から取得して、取得した第１の画像データを画像データ記憶部５に記憶し（ＳＴ４０２）、構図判断部６は、構図パターン画像記憶部７から不最適構図パターン画像を読み込み（ＳＴ４０３）、構図判断部６は、第１の画像データの構図と読み込んだ不最適構図パターン画像の構図とを比較し（ＳＴ４０４）、構図判断部６は、両者の構図があらかじめ定める条件において一致するか否かを判断し（ＳＴ４０５）、一致しなかった場合にはそのまま処理を終了し、一致した場合には、制御部８は、構図の一致した不最適構図パターン画像に対応する誘導アドバイス情報を構図パターン画像記憶部７から読み込み（ＳＴ４０６）、制御部８は、読み込んだ誘導アドバイス情報を情報出力部９に出力させ（ＳＴ４０７）、構図判断部６は、撮像部３が撮像した第２の画像データを撮像部３から取得し（ＳＴ４０８）、構図判断部６は、構図パターン画像記憶部７から最適構図パターン画像を読み込み（ＳＴ４０９）、構図判断部６は、第２の画像データの構図と読み込んだ最適構図パターン画像の構図とを比較し（ＳＴ４１０）、構図判断部６は、両者の構図があらかじめ定める条件において一致するか否かを判断し（ＳＴ４１１）、一致しなかった場合にはＳＴ４０８に戻り、一致した場合には、制御部８は、画像取得部４に第２の画像データを撮像部３から取得させて、画像取得部４は、取得した第２の画像データを画像データ記憶部５に記憶し（ＳＴ４１２）、制御部８は、第２の画像データを画像データ記憶部５から読み出し、読み出した第２の画像データを表示部１０に表示させて（ＳＴ４１３）、処理を終了する。
【００５０】
図５は、本発明の実施形態における撮像装置の動作例を示すフローチャートである。
【００５１】
同図は、不最適構図パターン画像の構図とあらかじめ定める条件において一致する第１の画像データと、最適構図パターン画像の構図とあらかじめ定める条件において一致する第２の画像データ（ＳＴ３１５における第２−２の画像データ、またはＳＴ４１３における第２の画像データ）とを並べて表示部１０に表示する場合の処理である。
【００５２】
同図において、撮像装置１は、画像取得部４によって第２の画像データが画像データ記憶部５に記憶されると（ＳＴ５０１）、制御部８が、画像データ記憶部５から第２の画像データとともに第１の画像データを取得し（ＳＴ５０２）、制御部８が、取得した第２の画像データを第１の画像データとともに表示部１０に表示させて（ＳＴ５０３）、処理を終了する。
【００５３】
図６は、本発明の実施形態における撮像装置の動作例を示すフローチャートである。
【００５４】
同図は、いわゆるうんちくに相当する説明情報を撮像者に対して出力する場合の処理である。同図において、撮像装置１は、制御部８によって誘導アドバイス情報が情報出力部９へ出力されると（ＳＴ６０１）、制御部８が、情報出力部９に出力した誘導アドバイス情報に対応する説明情報を構図パターン画像記憶部７から読み込み（ＳＴ６０２）、制御部８が、読み込んだ誘導アドバイス情報を情報出力部９に出力させて（ＳＴ６０３）、処理を終了する。
【００５５】
図７は、本発明の実施形態における撮像装置の動作例を示すフローチャートである。
【００５６】
同図は、図６とは別の場合の処理である。同図において、撮像装置１は、制御部８によって第２の画像データが表示部１０に表示されると（ＳＴ７０１）、制御部８が、情報出力部９に出力した第２の画像データの撮像に用いられた誘導アドバイス情報に対応する説明情報を構図パターン画像記憶部７から読み込み（ＳＴ７０２）、制御部８が、読み込んだ誘導アドバイス情報を情報出力部９に出力させて（ＳＴ７０３）、処理を終了する。
【図面の簡単な説明】
【００５７】
【図１】本発明の実施形態における撮像装置の概要を説明する説明図
【図２】本発明の実施形態における撮像装置のハードブロック図
【図３】本発明の実施形態における撮像装置の動作例を示すフローチャート
【図４】本発明の実施形態における撮像装置の動作例を示すフローチャート
【図５】本発明の実施形態における撮像装置の動作例を示すフローチャート
【図６】本発明の実施形態における撮像装置の動作例を示すフローチャート
【図７】本発明の実施形態における撮像装置の動作例を示すフローチャート
【符号の説明】
【００５８】
１  撮像装置
２  操作部
３  撮像部
４  画像取得部
５  画像データ記憶部
６  構図判断部
７  構図パターン画像記憶部
８  制御部
９  情報出力部
１０  表示部
【図１】
2006100936.tif 000003
【図２】
2006100936.tif 000004
【図３】
2006100936.tif 000005
【図４】
2006100936.tif 000006
【図５】
2006100936.tif 000007
【図６】
2006100936.tif 000008
【図７】
2006100936.tif 000009